(57)【要約】【課題】  従来よりも小型に形成された帯域通過フィルタを提供する。【解決手段】  ＴＥ１０１モードで共振する矩形導波管による４個の導波管共振器２ａ〜２ｄを備えており、入力された電磁波を伝搬するとともに濾波する帯域通過フィルタ１ａである。導波管共振器２ｂ、２ｃは、電磁波により励起された電界Ｅに対して垂直な面に結合孔６が設けられている。導波管共振器２ｂ、２ｃは、結合孔６を通じて磁界結合される。導波管共振器２ａ〜２ｄにより形成される電磁波の伝搬路が、電界Ｅに平行な面内でコの字状に形成される。【選択図】      図３
2006186628.tif 000002
【特許請求の範囲】
【請求項１】
複数の共振器を備えており、入力された電磁波を濾波する帯域通過フィルタであって、
少なくとも２個の共振器は、断面が矩形の導波管であって最も広い面に開口部が設けられて、当該最も広い面同士で接しており、
当該２個の共振器間で前記開口部を通じて磁界結合されていることを特徴とする、
帯域通過フィルタ。
【請求項２】
ＴＥ１０１モードで共振する複数の共振器を備えており、入力された電磁波を濾波する帯域通過フィルタであって、
少なくとも２個の共振器は、断面が矩形の導波管であって前記電磁波により励起された電界に対して垂直な面に開口部が設けられて、この開口部が設けられた面同士で接しており、
当該２個の共振器間は、この開口部を通じて磁界結合されていることを特徴とする、
帯域通過フィルタ。
【請求項３】
ＴＥ１０１モードで共振する矩形導波管による複数の導波管共振器を備えており、入力された電磁波を伝搬するとともに濾波する帯域通過フィルタであって、
所定の２個の導波管共振器は、前記電磁波により励起された電界に対して垂直な面に開口部が設けられて、この開口部が設けられた面同士で接するとともにこの開口部を通じて磁界結合されており、
前記複数の導波管共振器により形成される電磁波の伝搬路が、電界に平行な面内でコの字状に形成されることを特徴とする、
帯域通過フィルタ。
【請求項４】
ＴＥ１０１モードで共振する矩形導波管による複数の導波管共振器を備えており、入力された電磁波を伝搬するとともに濾波する帯域通過フィルタであって、
各導波管共振器は、電界に対して垂直な２つの面の対向しない位置に１個ずつ開口部が設けられて、各開口部が他の導波管共振器に設けられた開口部と通じるように構成されて、各導波管共振器がこの開口部を通じて磁界結合されており、
前記複数の導波管共振器により形成される電磁波の伝搬路が、電界に平行な面内に形成されることを特徴とする、
帯域通過フィルタ。
【請求項５】
前記開口部は、前記電界に対して垂直な前記面の端部に形成される、
請求項２、３、または４記載の帯域通過フィルタ。
【発明の詳細な説明】
【技術分野】
【０００１】
本発明は、帯域通過フィルタに関し、特に矩形導波管を用いたＴＥ１０１モードの複数の共振器により構成される帯域通過フィルタに関する。
【背景技術】
【０００２】
導波管を共振器として用いて構成されるフィルタは、低損失、高耐電力性などの利点を有するために、マイクロ波からミリ波までの広い周波数帯域で使用可能である。このようなフィルタに用いられる導波管は、通常、断面が矩形或いは円形である。断面が矩形のものを矩形導波管、断面が円形のものを円形導波管という。
【０００３】
図１１は、矩形導波管の断面を表しており、矩形導波管におけるＴＥ１０モードの電磁界を説明するため図である。矩形導波管の断面の一方の辺をＡ辺、Ａ辺の長さをＡ、Ａ辺に続く面をＡ面、他方の辺をＢ辺、Ｂ辺の長さをＢ、Ｂ辺に続く面をＢ面とする。Ａ辺の長さとＢ辺の長さとは、Ａ≧Ｂの関係にある。また、Ａ面の面積がＢ面の面積よりも大きい。このような矩形導波管における電磁界は、電界（Ｅ）がＢ面に平行に形成され、磁界（Ｈ）がＡ面に平行に形成される。矩形導波管は、例えば電磁波が入力されることで、電界及び磁界が励起されるようになっている。このような矩形導波管は、空胴共振器として用いることができる。
【０００４】
図８、９、１０は従来の矩形導波管による共振器（以下、「導波管共振器」という）を使用した帯域通過フィルタ（以下、「導波管フィルタ」という）１ｃの概略構成を説明するための図である。図８は、従来の導波管フィルタ１ｃの外観斜視図である。図９は、図８の導波管フィルタ１ｃのＣ−Ｃ’面における断面図である。図１０は、図８の導波管フィルタ１ｃのＤ−Ｄ’面における断面図であり、導波管フィルタ１ｃで発生する電界の方向を表している。
【０００５】
この導波管フィルタ１ｃは、４個の導波管共振器２０ａ〜２０ｄ、入力導波管２１、及び出力導波管２２の、合計６個の導波管により構成されている。各導波管共振器２０ａ〜２０ｄは、ＴＥ１０１モード共振を発生しており、アイリス２３ａ〜２３ｅにより順次結合されて、導波管フィルタ１ｃにより伝搬される電磁波を濾波するようになっている。導波管フィルタ１ｃの中心周波数は、導波管共振器２０ａ〜２０ｄ及びアイリス２３ａ〜２３ｅの寸法により決まるようになっている。
【０００６】
入力導波管２１に入力された電磁波は、導波管共振器２０ａ、導波管共振器２０ｂ、導波管共振器２０ｃ、導波管共振器２０ｄの順に伝搬され、導波管共振器２０ｄから出力導波管２２に伝搬されて、導波管フィルタ１ｃの外部に出力されるようになっている。導波管共振器間は、アイリス２３ａ〜２３ｅにより伝搬路が形成される。例えば、入力導波管２１と共振器２０ａとの間にはアイリス２３ａにより結合されて、これにより伝搬路が形成されている。また共振器２０ａと共振器２０ｄとの間には隔壁２４が設けられており、この間で電磁波が伝搬されないようになっている。隔壁２４は、電界（Ｅ）に平行な面により構成されている。つまり従来の導波管フィルタ１ｃは、電磁波の伝搬路が電界（Ｅ）に対して垂直な面内でコの字状になるように、導波管共振器２０ａ〜２０ｄが結合されている。
【０００７】
このようにＴＥ１０モードで共振する導波管共振器２０ａ〜２０ｄを用いた導波管フィルタ１ｃは、電界（Ｅ）に対して垂直な面内に伝搬路が形成される。つまり導波管共振器２０ａ〜２０ｄは、電界（Ｅ）に対して垂直な面内に結合されている。導波管共振器２０ａ〜２０ｄをコの字状に結合することで、直線状に結合する場合よりも、図９のｘ座標方向の小型化が図れる。
【発明の開示】
【発明が解決しようとする課題】
【０００８】
導波管共振器２０ａ〜２０ｄを電界（Ｅ）に対して垂直な面内でコの字状に結合することで、図９のｘ座標方向に小型化が図れるが、ｙ座標方向には大きくなってしまう。導波管フィルタ１ｃは、導波管共振器２０ａ〜２０ｄとアイリス２３ａ〜２３ｅとにより、電界（Ｅ）に対して垂直な面内で様々な伝搬路を形成可能であるが、全体の大きさはそれほど変化がない。
【０００９】
本発明は、上記の問題に鑑み、導波管共振器を同じ数だけ用いても、従来よりも小型に形成された帯域通過フィルタを提供することを課題とする。
【課題を解決するための手段】
【００１０】
上記の課題を解決する本発明の帯域通過フィルタは、複数の共振器を備えており、入力された電磁波を濾波する帯域通過フィルタである。この帯域通過フィルタは、少なくとも２個の共振器は、断面が矩形の導波管であって最も広い面に開口部が設けられて、当該最も広い面同士で接しており、当該２個の共振器間で前記開口部を通じて磁界結合されている。
少なくとも２個の共振器を、最も広い面を共通にして結合させるために、帯域通過フィルタ全体をコンパクトに形成できる。
【００１１】
本発明の他の帯域通過フィルタは、ＴＥ１０１モードで共振する複数の共振器を備えており、入力された電磁波を濾波する帯域通過フィルタであって、少なくとも２個の共振器は、断面が矩形の導波管であって前記電磁波により励起された電界に対して垂直な面に開口部が設けられて、この開口部が設けられた面同士で接しており、当該２個の共振器間は、この開口部を通じて磁界結合されている。
【００１２】
本発明の他の帯域通過フィルタは、ＴＥ１０１モードで共振する矩形導波管による複数の導波管共振器を備えており、入力された電磁波を伝搬するとともに濾波する帯域通過フィルタであって、所定の２個の導波管共振器は、前記電磁波により励起された電界に対して垂直な面に開口部が設けられて、この開口部が設けられた面同士で接するとともにこの開口部を通じて磁界結合されており、前記複数の導波管共振器により形成される電磁波の伝搬路が、電界に平行な面内でコの字状に形成される。
【００１３】
本発明の他の帯域通過フィルタは、ＴＥ１０１モードで共振する矩形導波管による複数の導波管共振器を備えており、入力された電磁波を伝搬するとともに濾波する帯域通過フィルタであって、各導波管共振器は、電界に対して垂直な２つの面の対向しない位置に１個ずつ開口部が設けられて、各開口部が他の導波管共振器に設けられた開口部と通じるように構成されて、各導波管共振器がこの開口部を通じて磁界結合されており、前記複数の導波管共振器により形成される電磁波の伝搬路が、電界に平行な面内に形成される。
【００１４】
通常、ＴＥ１０１モードで共振する矩形導波管は、電界に対して垂直な面間の距離が、電界に対して平行な面間の距離よりも短くなる。従来は、前述の通り、電界に対して平行な面間で矩形導波管を結合するように構成されていたが、本発明の帯域通過フィルタでは、電界に対して垂直な面間で矩形導波管を結合するように構成する。そのために、従来よりも小型化された帯域通過フィルタを構成することができる。
【００１５】
これらの帯域通過フィルタにおいて、前記開口部は、例えば前記電界に対して垂直な前記面の端部に形成される。
【発明の効果】
【００１６】
以上のような本発明によれば、共振器の配置を変更し従来よりも小型化した帯域通過フィルタを構成可能となる。
【発明を実施するための最良の形態】
【００１７】
以下、本発明の実施形態を図面を参照して説明する。
【実施例１】
【００１８】
図１〜図４は、本発明の実施例１を説明するための図である。図１は、実施例１の導波管フィルタ１ａの外観斜視図である。図２は、導波管フィルタ１ａの内部構造を説明するための図である。図３は、図１の導波管フィルタ１ａのＡ−Ａ’面による断面図であり、導波管フィルタ１ａ内で発生する電界（Ｅ）の方向を表している。図４は、図１の導波管フィルタ１ａのＢ−Ｂ’面による断面図であり、導波管フィルタ１ａ内で発生する磁界（Ｈ）の方向を表している。
【００１９】
導波管フィルタ１ａは、所定の同一面に入力開口部３ａ及び出力開口部４ａが設けられた直方体形状に形成される。導波管フィルタ１ａは、入力開口部３ａから電磁波が入力され、濾波後の電磁波が出力開口部４ａから出力されるようになっている。
この導波管フィルタ１ａは、矩形導波管による４個の導波管共振器２ａ〜２ｄを備えており、各導波管共振器２ａ〜２ｄはＴＥ１０１モードで共振するようになっている。導波管共振器２ａ〜２ｄは、導波管フィルタ１ａに入力された電磁波を濾波するものである。導波管共振器２ａには入力導波管３が結合されており、導波管共振器２ｄには出力導波管４が結合されている。入力開口部３ａは入力導波管３に形成されており、出力開口部４ａは出力導波管４に形成されている。
【００２０】
入力導波管３と導波管共振器２ａとの間にはアイリス５ａが設けられており、導波管共振器２ａと導波管共振器２ｂとの間にはアイリス５ｂが設けられている。入力導波管３、導波管共振器２ａ、２ｂは、電界（Ｅ）に対して垂直な方向で結合されている。これは従来と同じ方向である。
【００２１】
導波管共振器２ｃと導波管共振器２ｄとの間にはアイリス５ｃが設けられており、導波管共振器２ｄと出力導波管４との間にはアイリス５ｄが設けられている。導波管共振器２ｃ、２ｄ、出力導波管４は、電界（Ｅ）に対して垂直な方向で結合されている。これも、入力導波管３、導波管共振器２ａ、２ｂと同様に、従来と同じ方向である。
【００２２】
入力導波管３と出力導波管４との間、導波管共振器２ａと導波管共振器２ｄとの間、導波管共振器２ｂと導波管共振器２ｃとの間には、隔壁７が設けられている。入力導波管３、導波管共振器２ａ、２ｂと出力導波管４、導波管共振器２ｄ、ｃ２は、隔壁７に対して対称に形成される。入力導波管３と出力導波管４との間、導波管共振器２ａと導波管共振器２ｄとの間では、隔壁７により、電磁波が伝搬しないようになっている。
【００２３】
導波管共振器２ｂと導波管共振器２ｃとの間の隔壁７には、結合孔６が設けられており、この結合孔６により電磁波が伝搬されるようになっている。実施例１の導波管フィルタ１ａでは、結合孔６が隔壁７の端部に設けられる。結合孔６の寸法、及びアイリス５ａ〜５ｄび寸法により、導波管フィルタ１ａの中心周波数が決まるようになっている。結合孔６は、電界（Ｅ）に対して垂直な面に設けられており、導波管共振器２ｂと導波管共振器２ｃとが電界（Ｅ）と同じ方向で結合される。導波管共振器２ｂと導波管共振器２ｃとの間の伝搬路も電界（Ｅ）に平行に形成される。
【００２４】
ＴＥ１０モードで共振する矩形導波管の電界（Ｅ）は、図１１によると、矩形導波管の広い方の面であるＡ面間に発生する。そのために、電界（Ｅ）に垂直な面間の距離は、電界（Ｅ）に平行な面間の距離よりも短い。従来は、電界（Ｅ）に平行な面（図１１のＢ面）が接して共振器同士が結合している。実施例１では、相対的に短い電界（Ｅ）に垂直な面（図１１のＡ面）で接して結合するために、導波管フィルタ１ａを従来より小さい構成とすることができる。
【００２５】
従来の導波管フィルタ１ｃと、実施例１の導波管フィルタ１ａとの断面の周の長さを比較する。それぞれに用いられる導波管共振器の断面は、図１１と同じである。導波管フィルタ１ｃが（４Ａ＋２Ｂ）であり、導波管フィルタ１ａが（２Ａ＋４Ｂ）である。Ａ≧Ｂであるので、導波管フィルタ１ａの断面の周の長さが、導波管フィルタ１ｃの断面の周の長さより長くなることはない。
【００２６】
このように、実施例１の導波管フィルタ１ａには、入力導波管３から、アイリス５ａ間、導波管共振器２ａ、アイリス５ｂ間、導波管共振器２ｂ、結合孔６、導波管共振器２ｃ、アイリス５ｃ間、導波管共振器２ｄ、アイリス５ｄ間、出力導波管４の順に伝搬路が形成されることになる。入力導波管３から導波管共振器２ｂまでの伝搬路及び導波管共振器２ｃから出力導波管４までの伝搬路が電界（Ｅ）に垂直な方向（磁界（Ｈ）に平行な方向）に形成され、導波管共振器２ｂと導波管共振器２ｃとの間の伝搬路が電界（Ｅ）に平行な方向（磁界（Ｈ）に垂直な方向）に形成されるようになる。導波管フィルタ１内の電磁波の伝搬路は、電界（Ｅ）に平行な面内でコの字状に形成される。導波管フィルタ１ａ内の入力導波管３、導波管共振器２ａ〜２ｄ、及び出力導波管４は、このようにして物理的に結合される。
【００２７】
以上のような導波管フィルタ１ａに入力される電磁波は、以下のようにして導波管フィルタ１ａ内を伝搬される。
【００２８】
まず、導波管フィルタ１ａの入力開口部３ａに入力された電磁波は、入力導波管３からアイリス５ａを介して、入力導波管３に発生する電界に対して垂直な方向にある導波管共振器２ａに伝搬される。次いで、導波管共振器２ａに伝搬された電磁波は、アイリス５ｂを介して、導波管共振器２ａに発生する電界に対して垂直な方向にある導波管共振器２ｂに伝搬される。
【００２９】
電磁波の伝搬により導波管共振器２ｂに励起された磁界は、磁界に対して平行な平面である隔壁７に設けられた結合孔６によって導波管共振器２ｃ内に磁界を励起する。導波管共振器２ｂと導波管共振器２ｃとは、磁界結合される。これにより、導波管共振器２ｂに伝搬された電磁波は、結合孔６を介して、導波管共振器２ｂに発生する電界に対して平行な方向にある導波管共振器２ｃに伝搬される。
【００３０】
導波管共振器２ｃに伝搬された電磁波は、アイリス５ｃを介して、導波管共振器２ｃに発生する電界に対して垂直な方向にある導波管共振器２ｄに伝搬される。次いで、導波管共振器２ｄに伝搬された電磁波は、アイリス５ｄを介して、導波管共振器２ｄに発生する電界に対して垂直な方向にある出力導波管４に伝搬される。出力導波管４に伝搬された電磁波は、出力開口部４ａから導波管フィルタ１ａの外部に出力されるようになっている。
導波管フィルタ１ａ内の入力導波管３、導波管共振器２ａ〜２ｄ、及び出力導波管４は、このように電気磁気的に結合される。
【００３１】
図８、図１はいずれも４個の導波管共振器、入力導波管、及び出力導波管により構成された導波管フィルタであるが、図から明らかなように、図１の実施例１の導波管フィルタ１ａが図８の従来の導波管フィルタ１ｃよりも、表面積が小さく、コンパクトな構成になっている。これは、従来の導波管フィルタ１ｃが図１１のＢ面を共通に結合されているのに対して、実施例１の導波管フィルタ１ａが図１１のＡ面を共通に結合されているためである。
【実施例２】
【００３２】
図５〜図７は、本発明の実施例２を説明するための図である。図５は、実施例２の導波管フィルタ１ｂの外観斜視図である。図６は、この導波管フィルタ１ｂの内部構造を説明するための図である。図７は、図５の導波管フィルタ１のＣ−Ｃ’面による断面図であり、導波管フィルタ１内で発生する電界（Ｅ）の方向を表している。
【００３３】
この導波管フィルタ１ｂは、ＴＥ１０１モードで共振する矩形導波管による４個の導波管共振器８ａ〜８ｄ、入力開口部９ａが形成される入力導波管９、及び出力開口部１０ａが形成される出力導波管１０により構成される。導波管フィルタ１ｂは、入力導波管９の入力開口部９ａから入力された電磁波を、導波管共振器８ａ〜８ｄにより濾波して、出力導波管１０の出力開口部１０ａから出力するようになっている。
【００３４】
各導波管共振器８ａ〜８ｄには、２個の開口部が形成されており、一方の開口部から入力された電磁波が他方の開口部から出力されるようになっている。開口部は、導波管共振器８ａ〜８ｄ内に発生する電界（Ｅ）に対して垂直な２つの面に１個ずつ、対向しないようにずらした位置に形成される。
【００３５】
導波管共振器８ａと導波管共振器８ｂとの間には隔壁１３ａが設けられている。隔壁１３ａには、結合孔１４ａが形成されている。導波管共振器８ａに励起された磁界は、結合孔１４ａにより導波管共振器８ｂに磁界を励起する。このようにして電磁波は伝搬される。同様に、導波管共振器８ｂと導波管共振器８ｃとの間には隔壁１３ｂが設けられており、隔壁１３ｂには、結合孔１４ｂが形成される。導波管共振器８ｂに励起された磁界は、結合孔１４ｂにより導波管共振器８ｃに磁界を励起する。また導波管共振器８ｃと導波管共振器８ｄとの間には隔壁１３ｃが設けられており、隔壁１３ｃには、結合孔１４ｃが形成される。導波管共振器８ｃに励起された磁界は、結合孔１４ｃにより導波管共振器８ｄに磁界を励起する。このように導波管共振器８ａと導波管共振器８ｂ、導波管共振器８ｂと導波管共振器８ｃ、導波管共振器８ｃと導波管共振器８ｄ、はそれぞれ磁界結合される。結合孔１４ａ〜１４ｃの寸法、入力結合孔１１の寸法、及び出力結合孔１２の寸法により、導波管フィルタ１ｂの中心周波数が決まるようになっている。
図７において結合孔１４ａ〜１４ｃは、隔壁１３ａ〜１３ｃの端部に設けられるが、それぞれが対向しないように、Ｚ軸方向にずらして形成される。
【００３６】
入力導波管９は、入力開口部９ａに対向する位置に入力結合孔１１が形成されている。入力導波管９は、入力結合孔１１を介して導波管共振器８ａに結合されている。入力開口部９ａから入力された電磁波は、入力結合孔１１を介して導波管共振器８ａに伝搬されるようになっている。
【００３７】
出力導波管１０は、出力開口部１０ａに対向する位置に出力結合孔１２が形成されている。出力導波管１０は、出力結合孔１２を介して導波管共振器８ｄに結合されている。導波管共振器８ｄから伝搬された電磁波は、出力結合孔１２を介して出力導波管１０に伝搬され、出力開口部１０ａから出力されるようになっている。
【００３８】
このように導波管フィルタ１ｂには、入力導波管９から、入力結合孔１１、導波管共振器８ａ、結合孔１４ａ、導波管共振器８ｂ、結合孔１４ｂ、導波管共振器８ｃ、結合孔１４ｃ、導波管共振器８ｄ、出力結合孔１２、出力導波管１０の順に伝搬路が形成されることになる。伝搬路は電界（Ｅ）に対して平行な面内に形成される。導波管フィルタ１ｂ内の入力導波管９、導波管共振器８ａ〜８ｄ、及び出力導波管１０は、このようにして物理的に結合される。
【００３９】
以上のような導波管フィルタ１ｂに入力される電磁波は、以下のようにして導波管フィルタ１ｂ内を伝搬される。
【００４０】
まず、導波管フィルタ１ｂの入力開口部９ａに入力された電磁波は、入力導波管９から入力結合孔１１を介して、導波管共振器８ａに伝搬される。入力導波管９からの電磁波の伝搬により導波管共振器８ａに励起された磁界は、磁界に対して平行な平面である隔壁１３ａに設けられた結合孔１４ａによって導波管共振器８ｂ内に磁界を励起する。これにより、入力導波管９から導波管共振器２ａに伝搬された電磁波は、結合孔１４ａを介して、導波管共振器８ａに発生する電界（Ｅ）に対して平行な方向にある導波管共振器８ｂに伝搬される。
【００４１】
導波管共振器８ａからの電磁波の伝搬により導波管共振器８ｂに励起された磁界は、磁界に対して平行な平面である隔壁１３ｂに設けられた結合孔１４ｂによって導波管共振器８ｃ内に磁界を励起する。これにより、導波管共振器８ａから導波管共振器８ｂに伝搬された電磁波は、結合孔１４ｂを介して、導波管共振器８ｂに発生する電界（Ｅ）に対して平行な方向にある導波管共振器８ｃに伝搬される。
【００４２】
導波管共振器８ｂからの電磁波の伝搬により導波管共振器８ｃに励起された磁界は、磁界に対して平行な平面である隔壁１３ｃに設けられた結合孔１４ｃによって導波管共振器８ｄ内に磁界を励起する。これにより、導波管共振器８ｂから導波管共振器８ｃに伝搬された電磁波は、結合孔１４ｃを介して、導波管共振器８ｃに発生する電界（Ｅ）に対して平行な方向にある導波管共振器８ｄに伝搬される。
【００４３】
次いで、導波管共振器２ｄに伝搬された電磁波は、出力結合孔１２を介して、導波管共振器２ｄに発生する電界（Ｅ）に対して平行な方向にある出力導波管１０に伝搬される。出力導波管１０に伝搬された電磁波は、出力開口部１０ａから導波管フィルタ１ｂの外部に出力されるようになっている。
導波管フィルタ１ｂ内の入力導波管９、導波管共振器８ａ〜８ｄ、及び出力導波管１０は、このように電気磁気的に結合される。
【００４４】
このように、実施例２の導波管フィルタ１ｂにおいても、図１１のＡ面に当たる面を共通にして導波管共振器８ａ〜８ｄを結合しているために、従来のこの種の導波管フィルタよりも格段に小型化される。
【図面の簡単な説明】
【００４５】
【図１】実施例１の導波管フィルタの外観斜視図。
【図２】実施例１の導波管フィルタの内部構造の説明図。
【図３】図１のＡ−Ａ’面による断面図。
【図４】図１のＢ−Ｂ’面による断面図。
【図５】実施例２の導波管フィルタの外観斜視図。
【図６】実施例２の導波管フィルタの内部構造の説明図。
【図７】図５のＣ−Ｃ’面による断面図。
【図８】従来の導波管フィルタの外観斜視図。
【図９】図８のＣ−Ｃ’面による断面図。
【図１０】図８のＤ−Ｄ’面による断面図。
【図１１】矩形導波管におけるＴＥ１０モードの電磁界の説明図。
【符号の説明】
【００４６】
１ａ、１ｂ、１ｃ  導波管フィルタ
２ａ〜２ｄ、８ａ〜８ｄ、２０ａ〜２０ｄ  導波管共振器
３、９、２１  入力導波管
３ａ，９ａ  入力開口部
４、１０、２２  出力導波管
４ａ、１０ａ  出力開口部
５ａ〜５ｄ、２３ａ〜２３ｅ  アイリス
６、１４ａ〜１４ｃ  結合孔
７、１３ａ〜１３ｃ、２４  隔壁
１１  入力結合孔
１２  出力結合孔
【図１】
2006186628.tif 000003
【図２】
2006186628.tif 000004
【図３】
2006186628.tif 000005
【図４】
2006186628.tif 000006
【図５】
2006186628.tif 000007
【図６】
2006186628.tif 000008
【図７】
2006186628.tif 000009
【図８】
2006186628.tif 000010
【図９】
2006186628.tif 000011
【図１０】
2006186628.tif 000012
【図１１】
2006186628.tif 000013